(57)【要約】【課題】  原稿として用紙を使用することなく、簡単な入力操作で送信画像を生成することができるファクシミリ装置を提供することを目的とする。【解決手段】  文書フォーマット記憶部４Ｂから読み出された文書フォーマット４Ｅの入力項目を選択し、タッチパネルによる手書き入力操作を行うことにより、当該入力項目に対応する入力欄に文字画像が埋め込まれた送信画像を生成する。このように、予め記憶されている文書フォーマット４Ｅに基づいて送信画像を生成することができるので、原稿として用紙を使用する必要がなく経済的である。また、タッチパネルによる手書き入力操作により送信画像を生成することができるので、キーボードを用いて入力操作を行うような構成と比べて、簡単な入力操作で送信画像を生成することができる。【選択図】  図３
2008016913.tif 000002
【特許請求の範囲】
【請求項１】
２以上の入力項目を有する文書フォーマットを記憶している文書フォーマット記憶部と、
上記文書フォーマットに基づいて、上記入力項目にそれぞれ対応する画像領域として２以上の入力欄を有する送信画像を生成する送信画像生成手段と、
上記送信画像を表示する表示手段と、
ユーザ操作に基づいて、上記入力項目のいずれかを選択する入力項目選択手段と、
ユーザが手書き入力するためのタッチパネルと、
上記タッチパネルによる手書き入力操作に基づいて、選択された入力項目に対応する上記入力欄に画像情報を埋め込む入力欄編集手段と、
ユーザの送信操作に基づいて、上記送信画像をファクシミリ送信するファクシミリ送信手段とを備えたことを特徴とするファクシミリ装置。
【請求項２】
各文字コードに文字形状を対応付けて記憶する文字情報記憶部と、
上記タッチパネルで手書き入力された画像データを文字コードに変換する文字認識手段と、
上記文字情報記憶部を用いて、上記文字認識手段による変換後の文字コードを画像情報に変換し、文字画像を生成する文字画像生成手段とを備え、
上記入力欄編集手段は、上記入力欄に上記文字画像を埋め込むことを特徴とする請求項１に記載のファクシミリ装置。
【請求項３】
上記入力項目選択手段は、上記文字画像が埋め込まれている入力欄に対応する上記入力項目を選択可能であり、
上記入力欄編集手段は、上記タッチパネルによる手書き入力操作に基づいて、上記入力欄に埋め込まれている文字画像の一部を上記文字画像生成手段によって新たに生成された文字画像へ置き換え可能であることを特徴とする請求項１に記載のファクシミリ装置。
【請求項４】
電話番号に宛先名を対応づけて記憶している宛先情報記憶部と、
ユーザ操作に基づいて上記電話番号のいずれかを選択し、上記送信画像の送信先として指定する送信先指定手段とを備え、
上記文書フォーマットは、上記入力項目として、宛先名を入力するための宛先名入力項目を有し、
上記送信画像生成手段は、上記宛先名入力項目に対応する上記入力欄に上記送信先に対応付けられた宛先名の画像情報が埋め込まれた送信画像を生成することを特徴とする請求項３に記載のファクシミリ装置。
【請求項５】
現在の日付を保持する計時部を備え、
上記文書フォーマットは、上記入力項目として、日付を入力するための日付入力項目を有し、
上記送信画像生成手段は、上記日付入力項目に対応する上記入力欄に上記計時部が保持する日付の画像情報が埋め込まれた送信画像を生成することを特徴とする請求項３に記載のファクシミリ装置。
【発明の詳細な説明】
【技術分野】
【０００１】
本発明は、ファクシミリ装置に係り、さらに詳しくは、手書き入力のためのタッチパネルを備えたファクシミリ装置に関する。
【背景技術】
【０００２】
通常、ファクシミリ装置は、スキャナで読み取った画像データを相手方のファクシミリ装置へ送信するようになっている。このようなファクシミリ装置を用いて画像データを送信する場合には、予め内容が記載された原稿を用意して、その原稿をスキャナで読み取らせなければならない。そのため、原稿として必ず用紙を使用しなければならず、原稿を保管することを望んでいないユーザにとっては不経済である。
【０００３】
このような問題に対処するため、ファクシミリ装置に装着されるＩＣメモリカードに文書フォーマットを予め記憶させておき、この文書フォーマット及びユーザの入力データから送信画像を生成するファクシミリ装置が提案されている（例えば、特許文献１）。このようにしてファクシミリ装置内で送信画像を生成し、相手方のファクシミリ装置へ送信すれば、原稿として用紙を使用する必要がなく経済的である。
【０００４】
このような文書フォーマットにユーザが所望のデータを入力する方法として、キーボードを用いることが考えられる（例えば、特許文献１及び２）。つまり、アルファベットや仮名文字などが割り当てられた多数のキーからなるキーボードをファクシミリ装置に設けて、いわゆるローマ字入力、仮名入力、漢字変換などを用いて、データ入力を行うという方法である。
【特許文献１】特開平５−１４５８１号公報
【特許文献２】特開２００５−７３１２０号公報
【発明の開示】
【発明が解決しようとする課題】
【０００５】
しかしながら、送信画像を生成するためのデータ入力にキーボードを用いなければならない場合、キーボードの操作に不慣れなユーザにとっては、入力操作が煩わしいという問題がある。また、入力すべきデータが多い場合には、更に入力操作が煩わしくなるという問題もある。
【０００６】
一方、手書きで作成した原稿をスキャナで読み取って画像データに変換して送信する場合には、その画像データを受信した相手方のファクシミリ装置で印刷される画像が見づらい場合があった。すなわち、原稿に記載されている文字が薄い場合や小さい場合などには、相手方のファクシミリ装置で印刷される画像が見えにくかったり、文字が潰れてしまったりするという問題があった。
【０００７】
本発明は、上記の事情に鑑みてなされたものであり、原稿として用紙を使用することなく、簡単な入力操作で送信画像を生成することができるファクシミリ装置を提供することを目的とする。また、本発明は、相手方のファクシミリ装置で印刷される画像が見づらくなるのを防止できるファクシミリ装置を提供することを目的とする。更に、入力すべきデータが多い場合における入力操作の煩わしさを軽減することを目的とする。
【課題を解決するための手段】
【０００８】
第１の本発明によるファクシミリ装置は、２以上の入力項目を有する文書フォーマットを記憶している文書フォーマット記憶部と、上記文書フォーマットに基づいて、上記入力項目にそれぞれ対応する画像領域として２以上の入力欄を有する送信画像を生成する送信画像生成手段と、上記送信画像を表示する表示手段と、ユーザ操作に基づいて、上記入力項目のいずれかを選択する入力項目選択手段と、ユーザが手書き入力するためのタッチパネルと、上記タッチパネルによる手書き入力操作に基づいて、選択された入力項目に対応する上記入力欄に画像情報を埋め込む入力欄編集手段と、ユーザの送信操作に基づいて、上記送信画像をファクシミリ送信するファクシミリ送信手段とを備えて構成される。
【０００９】
このような構成によれば、文書フォーマットから入力項目のいずれかを選択し、タッチパネルによる手書き入力操作を行うことにより、当該入力項目に対応する入力欄に画像情報が埋め込まれた送信画像を生成することができる。この様にして予め記憶されている文書フォーマットに基づいて送信画像を生成すれば、原稿として用紙を使用する必要がなく経済的である。また、タッチパネルによる手書き入力操作により送信画像を生成することができるので、キーボードを用いて入力操作を行うような構成と比べて、簡単な入力操作で送信画像を生成することができる。
【００１０】
第２の本発明によるファクシミリ装置は、各文字コードに文字形状を対応付けて記憶する文字情報記憶部と、上記タッチパネルで手書き入力された画像データを文字コードに変換する文字認識手段と、上記文字情報記憶部を用いて、上記文字認識手段による変換後の文字コードを画像情報に変換し、文字画像を生成する文字画像生成手段とを備え、上記入力欄編集手段は、上記入力欄に対し、上記文字画像を埋め込むように構成される。
【００１１】
このような構成によれば、タッチパネルで手書き入力された画像データに基づいて文字コードを認識し、認識された文字コードを文字画像に変換して入力欄に埋め込むことができる。このようにして生成された送信画像は、タッチパネルで手書き入力されたままの文字画像ではなく、文字コードに基づいて変換された文字画像からなる。したがって、当該送信画像を受信した相手方のファクシミリ装置で印刷される画像が見づらくなるのを防止できる。
【００１２】
第３の本発明によるファクシミリ装置は、上記入力項目選択手段が、上記文字画像が埋め込まれている入力欄に対応する上記入力項目を選択可能であり、上記入力欄編集手段が、上記タッチパネルによる手書き入力操作に基づいて、上記入力欄に埋め込まれている文字画像の一部を上記文字画像生成手段によって新たに生成された文字画像へ置き換え可能であるように構成される。
【００１３】
このような構成によれば、文字画像が一旦埋め込まれた入力欄に対応する入力項目を選択し、タッチパネルによる手書き入力操作を行うことにより、当該入力欄に埋め込まれている文字画像の一部を文字画像生成手段によって新たに生成された文字画像へ置き換えることができる。したがって、入力欄に埋め込む文字を間違えた場合や、手書き入力した文字が正しく認識されなかった場合などに、当該入力欄の画像情報の一部を簡単に書き換えることができるので、利便性が向上する。
【００１４】
第４の本発明によるファクシミリ装置は、電話番号に宛先名を対応づけて記憶している宛先情報記憶部と、ユーザ操作に基づいて上記電話番号のいずれかを選択し、上記送信画像の送信先として指定する送信先指定手段とを備え、上記文書フォーマットが、上記入力項目として、宛先名を入力するための宛先名入力項目を有し、上記送信画像生成手段が、上記宛先名入力項目に対応する上記入力欄に上記送信先に対応付けられた宛先名の画像情報が埋め込まれた送信画像を生成するように構成される。
【００１５】
このような構成によれば、ファクシミリ送信の送信先を指定することにより、宛先名入力項目に対応する入力欄に、その送信先に対応する宛先名の画像情報を自動的に埋め込むことができる。したがって、送信先を指定するだけで、所定の入力欄に宛先名の画像情報が自動的に埋め込まれ、必要に応じて当該画像情報を書き換えることができるので、文書フォーマットが多くの入力項目を有する場合における入力操作の煩わしさを軽減し、利便性を更に向上させることができる。
【００１６】
第５の本発明によるファクシミリ装置は、現在の日付を保持する計時部を備え、上記文書フォーマットが、上記入力項目として、日付を入力するための日付入力項目を有し、上記送信画像生成手段が、上記日付入力項目に対応する上記入力欄に上記計時部が保持する日付の画像情報が埋め込まれた送信画像を生成するように構成される。
【００１７】
このような構成によれば、日付入力項目に対応する入力欄に、計時部が保持している日付に基づいて、現在の日付の画像情報を自動的に埋め込むことができ、必要に応じて当該画像情報を書き換えることができる。したがって、文書フォーマットが多くの入力項目を有する場合における入力操作の煩わしさを軽減し、利便性を更に向上させることができる。
【発明の効果】
【００１８】
本発明によれば、予め記憶されている文書フォーマットに基づいて送信画像を生成することができるので、原稿として用紙を使用する必要がなく経済的である。また、タッチパネルによる手書き入力操作により送信画像を生成することができるので、簡単な入力操作で送信画像を生成することができる。また、タッチパネルで手書き入力された画像データに基づいて文字コードを認識し、認識された文字コードを文字画像に変換して入力欄に埋め込むことができるので、送信画像を受信した相手方のファクシミリ装置で印刷される画像が見づらくなるのを防止できる。更に、入力データが多い場合における入力操作の煩わしさを軽減することができる。
【発明を実施するための最良の形態】
【００１９】
図１は、本発明の実施の形態によるファクシミリ装置１の一例を示したブロック図である。このファクシミリ装置１は、ＭＰＵ(Micro Processing Unit)２と、このＭＰＵ２にバス３を介して接続されたＲＯＭ(Read Only Memory)４、ＳＲＡＭ(Static Random Access Memory)５、ＮＣＵ(Network Control Unit)６、モデム７、コーデック８、画像信号処理回路９、メモリコントローラ１０、メモリコントローラ１１、プリント画像処理回路１２、プリンタ機構制御回路１３、操作パネル制御回路１４、ＬＡＮ(Local Area Network)インターフェース１５及び時計回路１６とを備えている。
【００２０】
画像信号処理回路９は、ＣＣＤ(Charge Coupled Device)１７の出力信号に基づいて画像データを生成する回路であり、生成された画像データは、送信画像データとしてコーデック８へ出力される。ＣＣＤ１７は、原稿画像を光学的に読み取るための原稿読取手段であり、原稿に向けて照射された光の反射光を受光し、その受光量に応じた電気信号を出力する。画像信号処理回路９は、この電気信号に基づいて、ピクセルごとの輝度情報又は色情報で構成されるビットマップデータとして送信画像データを生成している。
【００２１】
コーデック８は、ランレングス法やハフマン符号化法などを用いて、画像データを圧縮又は伸張する処理を行う。画像信号処理回路９からコーデック８に入力された送信画像データは、当該コーデック８により原稿１ページ分ごとに圧縮処理が行われ、メモリコントローラ１０を介してＳＤＲＡＭ(Synchronous Dynamic Random Access Memory)からなる画像メモリ１８に格納される。
【００２２】
ＮＣＵ６は、電話回線などの公衆通信回線（不図示）への接続制御を行っている。当該ファクシミリ装置１がファクシミリ送信を行う場合、ＮＣＵ６が、公衆通信回線へ発呼信号を送出し、更に送信先の電話番号を含む選択信号を送出することによって発呼が行われ、相手方のファクシミリ装置との接続状態が確立される。この接続状態は、ファクシミリ送信の終了後にＮＣＵ６によって切断される。一方、ファクシミリ受信を行う場合には、公衆通信回線からの呼出信号に応じて、ＮＣＵ６が回線を接続することにより、相手方のファクシミリ装置との接続状態が確立される。
【００２３】
画像メモリ１８に格納された送信画像データは、ファクシミリ送信時にメモリコントローラ１０により読み出される。読み出された送信画像データは、モデム７により音声信号に変調され、ＮＣＵ６から公衆通信回線を介して相手方のファクシミリ装置へ送信される。つまり、ＮＣＵ６及びモデム７は、ユーザの送信操作に基づいて送信画像データをファクシミリ送信するファクシミリ送信手段である。
【００２４】
一方、ファクシミリ受信時には、相手方のファクシミリ装置から送出された音声信号を公衆通信回線を介してＮＣＵ６が受信する。ＮＣＵ６で受信された音声信号は、モデム７によって復調され、受信画像データとして画像メモリ１８に格納される。
【００２５】
画像メモリ１８に格納された受信画像データは、メモリコントローラ１０により１ページ分の画像データごとに読み出される。これらの画像データは、コーデック８で伸張され、メモリコントローラ１１を介してページメモリ１９に格納される。ページメモリ１９は、ＳＤＲＡＭからなり、ページごとのビットマップデータに展開された受信画像データを保持している。
【００２６】
メモリコントローラ１１によってページメモリ１９から読み出された受信画像データは、１ページごとにプリント画像処理回路１２へ出力される。プリント画像処理回路１２は、入力された各ページの受信画像データを複数ラインのラインデータに分割し、受信画像データを１ラインごとにＬＥＤ(Light Emitting Diode)プリントヘッド２０へ出力する。ＬＥＤプリントヘッド２０は、多数のＬＥＤをライン状に配列したＬＥＤアレイを備えており、受信画像データに基づく光を１ラインごとに照射する。
【００２７】
プリンタ機構制御回路１３は、感光体ドラム２１、帯電器２２、現像装置２３、転写装置２４及び定着装置２５などからなるプリンタ機構の動作を制御する。感光体ドラム２１は、表面に感光体層が形成された円筒状のドラムからなり、印刷時には、感光体ドラム２１の表面が帯電器２２により一様に帯電される。この帯電された感光体ドラム２１の表面に、受信画像データに基づく光がＬＥＤプリントヘッド２０から照射されることにより、感光体ドラム２１の表面に静電潜像が形成される。
【００２８】
現像装置２３は、静電潜像が形成された感光体ドラム２１の表面にトナーを付着させることにより、当該表面にトナー像を形成させる。感光体ドラム２１の表面に形成されたトナー像は、転写装置２４により、用紙収容部（図示せず）から送り出された用紙に転写される。このようにしてトナー像が転写された用紙に対して、定着装置２５により加熱処理及び加圧処理が施されることにより、受信画像データに基づく画像が用紙上に形成される。
【００２９】
操作パネル制御回路１４は、ＬＣＤ(Liquid Crystal Display)２６、タッチパネル２７及び操作キー２８などを備えた操作パネルの動作を制御する。操作キー２８には、ＬＣＤ２６の表示をスクロールさせる際などに操作される十字キー２８Ａや、ファクシミリ送信を開始させるためのスターキー２８Ｂが含まれる。
【００３０】
タッチパネル２７は、ＬＣＤ２６の表示画面上に取り付けられており、ユーザは、ＬＣＤ２６の表示画面に対向するタッチパネル２７上に指を触れることにより、選択操作や手書き入力操作を行うことができるようになっている。このタッチパネル２７は、静電式のものであってもよいし、抵抗式のものであってもよい。抵抗式のタッチパネル２７を採用した場合には、ユーザは、ペンなどの入力装置をタッチパネル２７上に接触させることにより、操作を行うことができる。
【００３１】
ＬＡＮインターフェース１５は、ＬＡＮ（図示せず）に対する信号の入出力を制御している。このファクシミリ装置１は、ＣＣＤ１７で読み取った原稿の画像データをＬＡＮを介して他の端末装置へ送信することができる。また、他の端末装置からＬＡＮを介して受信した画像データに基づいて、プリンタ機構で用紙の画像を印刷することができる。つまり、ファクシミリ装置１は、ネットワーク接続されたスキャナ装置やプリンタ装置として機能させることもできる。時計回路１６は、時刻を計測している計時部である。
【００３２】
ＲＯＭ４は、文字情報記憶部４Ａ及び文書フォーマット記憶部４Ｂとして使用される。文字情報記憶部４Ａには、平仮名、片仮名、漢字及び英数字などの文字形状を表す文字情報が記憶されており、これらの文字情報は文字コードにそれぞれ対応付けられている。文書フォーマット記憶部４Ｂには、送信画像データを生成する際に用いられる書式データとして文書フォーマットが記憶されている。このファクシミリ装置１では、文書フォーマットに基づいて入力欄を有する送信画像を生成し、文字情報記憶部４Ａに記憶されている文字情報に基づいて、所望の文字画像を入力欄に埋め込むことができるようになっている。
【００３３】
ＳＲＡＭ５は、ワンタッチダイヤルリスト記憶部５Ａとして使用される。ワンタッチダイヤルリスト記憶部５Ａは、電話番号及び宛先名からなるワンタッチダイヤルリストをワンタッチキーに対応付けて記憶しており、ファクシミリ送信時にユーザがワンタッチキーを操作すれば、当該ワンタッチキーに対応する電話番号がワンタッチダイヤルリスト記憶部５Ａから読み出され、送信先として指定される。なお、上記電話番号は、送信先となり得る電話番号であり、上記宛先名は、１又は２以上の文字コードで表現された文字列であり、ワンタッチダイヤルリスト記憶部５Ａは、各電話番号に対応付けて宛先名を記憶している送信先画像情報記憶部である。
【００３４】
図２は、文書フォーマットに基づいて生成される送信画像の一例を示した図であり、「売上日報」が示されている。この「売上日報」は、文書フォーマットによって予め定められた文字、罫線などからなる背景画像と、ユーザ操作による入力が可能な２以上の入力欄３１〜３６により構成されている。
【００３５】
このような「売上日報」の送信画像を生成するための文書フォーマットが、文書フォーマット記憶部４Ｂに記憶されている。この文書フォーマットは、「売上日報」のレイアウトを規定するレイアウト情報と、「売上日報」に含まれる入力項目を規定する入力項目情報によって構成される。レイアウト情報は、背景画像及び２以上の入力欄の配置を規定している。また、これらの入力欄は、入力項目情報によって規定されている各入力項目に対応する画像領域である。
【００３６】
ここでは、文書フォーマットに基づいて生成される送信画像には、宛先名を入力するための入力欄３１、日付を入力するための入力欄３２、品名を入力するための入力欄３３、取引先を入力するための入力欄３４、数量を入力するための入力欄３５、及び、金額を入力するための入力欄３６が含まれるものとする。文書フォーマットに基づいて生成された図２のような送信画像は、ＬＣＤ２６の表示画面に表示される。
【００３７】
ユーザは、ＬＣＤ２６の表示画面に送信画像が表示された状態で、タッチパネル２７に対する操作により各入力欄３１〜３６を選択することができる。そして、タッチパネル２７に対する手書き入力操作によって、選択した入力欄３１〜３６に所望の文字画像を埋め込むことができる。このようにして、各入力欄３１〜３６に所望の文字画像が埋め込まれた送信画像データがファクシミリ装置１内において生成され、当該ファクシミリ装置１からファクシミリ送信される。
【００３８】
図３は、送信画像を生成する際のＭＰＵ２による処理の一例を示したブロック図である。ＭＰＵ２は、送信画像を生成する処理を実行する際に、送信画像生成部４１、入力項目選択部４２、文字認識部４３、文字画像生成部４４及び入力欄編集部４５として機能する。ユーザによりファクシミリ送信の送信先を指定する操作が行われると、文書フォーマット４Ｅに基づいて送信画像生成部４１がページメモリ１９上に送信画像を生成し、その送信画像をＬＣＤ２６の表示画面に表示させる。
【００３９】
このとき、文書フォーマット記憶部４Ｂに記憶されているレイアウト情報４Ｃ及び入力項目情報４Ｄに基づいて生成された背景画像及び入力欄３１〜３６からなる送信画像が、ＬＣＤ２６の表示画面に表示される。上記入力項目情報４Ｄには、宛先名、日付、品名、取引先、数量及び金額をそれぞれ入力するための入力項目が規定されている。これらの入力項目に対応する入力欄３１〜３６をＬＣＤ２６の表示画面に表示させることにより、図２に示したような送信画像が表示されることとなる。なお、本実施の形態では、宛先名を入力するための入力項目を「宛先名入力項目」、日付を入力するための入力項目を「日付入力項目」と呼ぶことにする。
【００４０】
宛先名入力項目に対応する入力欄３１には、ワンタッチダイヤルリスト記憶部５Ａに記憶されているワンタッチダイヤルリスト５Ｄに基づいて、予め指定されている送信先の電話番号５Ｂに対応する宛先名５Ｃが自動的に埋め込まれる。また、日付入力項目に対応する入力欄３２には、時計回路１６に基づいて、そのときの日付が自動的に埋め込まれる。入力欄３１，３２に文字画像が自動的に埋め込まれることによって、ユーザが操作入力を行わなくても入力欄３１，３２に所望の文字画像を表示させることができるので、操作入力の煩雑さを軽減することができる。なお、入力欄３１，３２に対して自動的に埋め込まれた文字画像は、必要に応じて書き換えることができる。
【００４１】
このようにして、図２に示したような送信画像がＬＣＤ２６の表示画面に表示された状態で、タッチパネル２７に対する操作によって入力欄３１〜３６が指定されると、入力項目選択部４２により、その入力欄３１〜３６に対応する入力項目が選択される。入力項目が選択されると、対応する入力欄３１〜３６に文字画像を埋め込むための文字入力画面がＬＣＤ２６の表示画面に表示される。この文字入力画面が表示された状態で、タッチパネル２７上にユーザが指で文字を描くことにより手書き入力操作が行われると、文字認識部４３により、手書き入力された画像データが文字コードに変換される。
【００４２】
文字認識部４３は、周知の文字認識アルゴリズムを用いて、タッチパネル２７に対するユーザの指による筆跡から文字を認識し、その文字に対応する文字コードを特定する。文字画像生成部４４は、特定された文字コードに対応する文字情報を文字情報記憶部４Ａから読み出すことにより、その文字コードに対応する文字画像を生成する。このようにして生成された文字画像は、入力欄編集部４５により、選択されている入力項目に対応する入力欄３１〜３６に埋め込まれる。これにより、送信画像が編集され、入力欄３１〜３６に文字画像が埋め込まれた送信画像がＬＣＤ２６の表示画面に表示される。
【００４３】
このようにして、各入力欄３１〜３６に所望の文字画像を埋め込むことにより、ファクシミリ送信するための送信画像を生成することができる。また、文字画像が一旦埋め込まれた入力欄３１〜３６に対応する入力項目を再度選択し、タッチパネル２７による手書き入力操作を行えば、当該入力欄３１〜３６に埋め込まれている文字画像を書き換えることもできる。
【００４４】
本実施の形態では、文書フォーマット４Ｅから入力項目のいずれかを選択し、タッチパネル２７による手書き入力操作を行うことにより、当該入力項目に対応する入力欄３１〜３６に文字画像が埋め込まれた送信画像を生成することができる。このように、予め記憶されている文書フォーマット４Ｅに基づいて送信画像を生成することができるので、原稿として用紙を使用する必要がなく経済的である。また、タッチパネル２７による手書き入力操作により送信画像を生成することができるので、キーボードを用いて入力操作を行うような構成と比べて、簡単な入力操作で送信画像を生成することができる。
【００４５】
また、タッチパネル２７で手書き入力された画像データに基づいて文字コードを認識し、認識された文字コードを文字画像に変換して入力欄３１〜３６に埋め込むことができる。このようにして生成された送信画像は、タッチパネル２７で手書き入力されたままの文字画像ではなく、文字コードに基づいて変換された文字画像からなる。したがって、当該送信画像を受信した相手方のファクシミリ装置で印刷される画像が見づらくなるのを防止できる。
【００４６】
図４及び図５は、送信画像を生成して送信する際のＭＰＵ２による処理の一例を示したフローチャートである。また、図６、図７及び図８は、送信画像を生成する際にＬＣＤ２６の表示画面に表示される画像の一例を示した図である。以下では、図４〜図８を用いて、送信画像を生成して送信する際の処理について具体的に説明する。
【００４７】
まず、タッチパネル２７又は操作キー２８に対する操作を行うことにより、ファクシミリ送信の送信先が指定されると、文書フォーマット記憶部４Ｂから文書フォーマット４Ｅが読み出される（ステップＳ１０１）。送信先の指定は、テンキーを操作して電話番号を直接入力することにより行うこともできるが、ここでは、ワンタッチキーを操作してワンタッチダイヤルリスト記憶部５Ａから電話番号を読み出すことにより行うものとする。
【００４８】
図２の例のように、文書フォーマット４Ｅのいずれかの入力項目に宛先名入力項目が含まれていれば（ステップＳ１０２でＹｅｓ）、指定された送信先の電話番号５Ｂに対応付けてワンタッチダイヤルリスト記憶部５Ａに記憶されている宛先名５Ｃが、当該入力項目に対応する入力欄３１に埋め込まれる（ステップＳ１０３）。また、図２の例のように、文書フォーマット４Ｅのいずれかの入力項目に日付入力項目が含まれていれば（ステップＳ１０４でＹｅｓ）、時計回路１６に基づくそのときの日付が、当該入力項目に対応する入力欄３２に埋め込まれる（ステップＳ１０５）。
【００４９】
このようにして生成された送信画像は、ＬＣＤ２６の表示画面に表示される（ステップＳ１０６）。このとき、図６（ａ）に示すように、ＬＣＤ２６の表示画面には、送信画像の一部、すなわち表示可能な範囲だけが表示されるようになっている。表示画面に表示される送信画像の範囲は、十字キー２８Ａを操作することにより変化させることができる。最初に表示画面に表示される送信画像の範囲には、宛先名入力項目及び日付入力項目にそれぞれ対応する入力欄３１，３２の少なくとも一方が含まれている。
【００５０】
ＬＣＤ２６の表示画面に送信画像が表示される際、当該表示画面には、図６（ａ）に示すように、入力欄３１〜３６の選択をユーザに指示するための選択指示画面５１が表示される（ステップＳ１０７）。この選択指示画面５１は、送信画像の一部に重ねて表示されるようになっている。その後、ユーザがタッチパネル２７に対する操作を行うことにより、選択指示画面５１に含まれる[閉じる]ボタン５１Ａが選択されると、選択指示画面５１が非表示となり、入力欄３１〜３６の選択が可能になる。
【００５１】
その後、ユーザがタッチパネル２７に対する操作を行うことにより、送信画像に含まれるいずれかの入力欄３１〜３６が選択されると（ステップＳ１０８でＹｅｓ）、図６（ｂ）に示すように、その入力欄３１〜３６に対する入力を行うかどうかを確認するための確認画面５２が表示される（ステップＳ１０９）。この確認画面５２は、送信画像の一部に重ねて表示されるようになっている。ユーザは、タッチパネル２７に対する操作を行うことにより、確認画面５２に含まれる[閉じる]ボタン５２Ａ又は[編集]ボタン５２Ｂを選択することができる。
【００５２】
確認画面５２に含まれる[閉じる]ボタン５２Ａが選択された場合には、ＬＣＤ２６の表示画面は、再び図６（ａ）に示したような状態となる。一方、[編集]ボタン５２Ｂが選択された場合には、ＬＣＤ２６の表示画面が文字入力画面５３に切り替わる（ステップＳ１１０）。この文字入力画面５３には、図７（ａ）に示すように、[閉じる]ボタン５３Ａ、[確定]ボタン５３Ｂ、左スクロールキー５３Ｃ、右スクロールキー５３Ｄ及び手書き入力欄５３Ｅが含まれる。文字入力画面５３に含まれる[閉じる]キー５３Ａが選択された場合には（ステップＳ１１１でＮｏ）、ＬＣＤ２６の表示画面は、再び図６（ａ）に示したような状態となる。
【００５３】
手書き入力欄５３Ｅは、タッチパネル２７による手書き入力操作を行うための領域であり、破線で示すように、１文字ずつ手書きで文字を入力するための文字入力領域５３Ｆが複数配置されている。ユーザは、各文字入力領域５３Ｆに対向するタッチパネル２７上に指を触れて手書き入力操作を行うことにより、各文字入力領域５３Ｆに文字を入力することができる。各文字入力領域５３Ｆにおけるユーザの指が触れた部分は、反転表示されることにより、手書き入力した文字が視認できるようになっている。左スクロールキー５３Ｃ又は右スクロールキー５３Ｄを選択すれば、表示画面に表示させる文字入力領域５３Ｆの位置を変化させて、すべての文字入力領域５３Ｆを順次に表示させることができる。
【００５４】
このようにして、所望の文字列を手書き入力欄５３Ｅに入力した後、[確定]ボタン５３Ｆを選択すれば（ステップＳ１１１でＹｅｓ）、各文字入力領域５３Ｆに入力された文字に対する文字認識処理が行われ（ステップＳ１１２）、特定された各文字コードに対応する文字情報が文字情報記憶部４Ａから読み出される。これにより、各文字コードに対応する文字画像が生成され（ステップＳ１１３）、選択されている入力欄３１〜３６に生成された文字画像が埋め込まれる（ステップＳ１１４）。
【００５５】
図７（ｂ）に示すように、文字画像が埋め込まれた送信画像がＬＣＤ２６の表示画面に表示される際には、入力欄３１〜３６の選択をユーザに指示するための選択指示画面５４が、送信画像の一部に重ねて表示される（ステップＳ１１５）。この選択指示画面５４には、[全入力終了]ボタン５４Ａ及び[閉じる]ボタン５４Ｂが含まれる。選択指示画面５４に含まれる[閉じる]ボタン５４Ｂが選択された場合には（ステップＳ１１６でＮｏ）、選択指示画面５４が非表示となり、再び入力欄３１〜３６の選択が可能になる。
【００５６】
したがって、まだ文字画像が埋め込まれていない入力欄を選択すれば、その入力欄に続けて文字画像を埋め込むことができる。また、既に文字画像が埋め込まれている入力欄を選択すれば、その入力欄に埋め込まれている文字画像を編集することができる。このように、既に文字画像が埋め込まれている入力欄が選択された場合には、図８（ａ）に示すように、その埋め込まれている文字画像が各文字入力領域５３Ｆに表示される。
【００５７】
このように文字画像が表示された各文字入力領域５３Ｆのいずれかを選択し、その文字入力領域５３Ｆに対向するタッチパネル２７上に指を触れて手書き入力操作を行うことにより、図８（ｂ）に示すように、当該文字入力領域５３Ｆに文字を再入力することができる。これにより、文字画像が一旦埋め込まれた入力欄３１〜３６を選択し、当該入力欄３１〜３６に埋め込まれている文字画像の一部を書き換えることができる。例えば、文字列を構成する文字ごとに、必要に応じて書き換えを行うことができる。したがって、入力欄３１〜３６に埋め込む文字を間違えた場合や、手書き入力した文字が正しく認識されなかった場合に、全ての文字をユーザが再度入力し直す必要がなく、入力操作の煩雑さを軽減し、利便性を向上させることができる。
【００５８】
このようにして、送信画像の各入力欄３１〜３６に所望の文字画像を埋め込んだ後、選択指示画面５４に含まれる[全入力終了]ボタン５４Ａを選択し（ステップＳ１１６でＹｅｓ）、スタートキー２８Ｂを操作すると（ステップＳ１１７でＹｅｓ）、予め指定されている送信先への発呼が行われる（ステップＳ１１８）。この発呼後の所定時間内に送信先から所定のトーン信号を受信できなかった場合には（ステップＳ１１９でＮｏ）、再び送信先への発呼が行われる。
【００５９】
一方、送信先からのトーン信号を受信することができた場合には（ステップＳ１１９でＹｅｓ）、上記送信画像データに対する圧縮処理が行われ（ステップＳ１２０）、圧縮後の送信画像データが送信先へファクシミリ送信される（ステップＳ１２１）。
【００６０】
上記実施の形態では、文書フォーマット４Ｅの一例として、「売上日報」を生成するための文書フォーマット４Ｅを例にとって説明したが、このような文書フォーマット４Ｅに限らず、他の種類の文書フォーマットであってもよい。また、１種類の文書フォーマットだけでなく、複数種類の文書フォーマットを文書フォーマット記憶部４Ｂに記憶しておいて、ユーザ操作により所望の文書フォーマットを選択することができるようになっていてもよい。
【００６１】
また、タッチパネル２７による手書き入力操作に基づいて文字コードを認識し、認識された文字コードを文字画像に変換して入力欄３１〜３６に埋め込むような構成に限らず、タッチパネル２７により手書き入力された文字画像が、そのまま入力欄３１〜３６に埋め込まれるようになっていてもよい。
【００６２】
また、ワンタッチキーを用いて送信先が指定された場合に限らず、テンキーを用いて電話番号が直接入力された場合に、その電話番号に対応付けて記憶されている宛先名が読み出されて、宛先名入力項目に対応する入力欄３１に埋め込まれるようになっていてもよい。
【図面の簡単な説明】
【００６３】
【図１】本発明の実施の形態によるファクシミリ装置の一例を示したブロック図である。
【図２】文書フォーマットに基づいて生成される送信画像の一例を示した図である。
【図３】送信画像を生成する際のＭＰＵによる処理の一例を示したブロック図である。
【図４】送信画像を生成して送信する際のＭＰＵによる処理の一例を示したフローチャートである。
【図５】送信画像を生成して送信する際のＭＰＵによる処理の一例を示したフローチャートであり、図４の続きを示している。
【図６】送信画像を生成する際にＬＣＤの表示画面に表示される画像の一例を示した図である。
【図７】送信画像を生成する際にＬＣＤの表示画面に表示される画像の一例を示した図であり、図６の続きを示している。
【図８】送信画像を生成する際にＬＣＤの表示画面に表示される画像の一例を示した図であり、図７の続きを示している。
【符号の説明】
【００６４】
１  ファクシミリ装置
２  ＭＰＵ
３  バス
４  ＲＯＭ
４Ａ  文字情報記憶部
４Ｂ  文書フォーマット記憶部
４Ｃ  レイアウト情報
４Ｄ  入力項目情報
４Ｅ  文書フォーマット
５  ＳＲＡＭ
５Ａ  ワンタッチダイヤルリスト記憶部
５Ｂ  電話番号
５Ｃ  宛先名
５Ｄ  ワンタッチダイヤルリスト
６  ＮＣＵ
７  モデム
８  コーデック
９  画像信号処理回路
１０，１１  メモリコントローラ
１２  プリント画像処理回路
１３  プリンタ機構制御回路
１４  操作パネル制御回路
１５  ＬＡＮインターフェース
１６  時計回路
１７  ＣＣＤ
１８  画像メモリ
１９  ページメモリ
２０  ＬＥＤプリントヘッド
２１  感光体ドラム
２２  帯電器
２３  現像装置
２４  転写装置
２５  定着装置
２６  ＬＣＤ
２７  タッチパネル
２８  操作キー
２８Ａ  十字キー
２８Ｂ  スタートキー
３１〜３６  入力項目
４１  送信画像生成部
４２  入力項目選択部
４３  文字認識部
４４  文字画像生成部
４５  入力欄編集部
【図１】
2008016913.tif 000003
【図２】
2008016913.tif 000004
【図３】
2008016913.tif 000005
【図４】
2008016913.tif 000006
【図５】
2008016913.tif 000007
【図６】
2008016913.tif 000008
【図７】
2008016913.tif 000009
【図８】
2008016913.tif 000010